(57)【要約】【課題】電飾装置の装飾部材等を効率よく照射して見栄えをよくすると共に発光ダイオードの取着を容易にすることができる発光ダイオードの取付構造を提供する。【解決手段】表面が山形状に突出して形成された取付座板２２と、該取付座板２２の表面に取付けられる複数の発光ダイオード２１からなり、前記取付座板２２に前記発光ダイオード２１のリード端子２８を貫挿する通孔２７を形成し、該通孔２７に前記リード端子２８を貫挿することにより前記各発光ダイオード２１の光軸が所定角度をなすように外方に傾斜状に取付けられるようにした。【選択図】  図２
2004223094.tif 000002
【特許請求の範囲】
【請求項１】
表面が山形状に突出して形成された取付座板と、前記取付座板の表面に取付けられる複数の発光ダイオードからなり、前記取付座板に前記発光ダイオードのリード端子を貫挿する通孔を形成し、前記通孔に前記リード端子を貫挿することにより前記各発光ダイオードの光軸が所定角度をなして外向き傾斜状に取付けられるようにしたことを特徴とする遊技機における電飾用発光ダイオードの取付構造。
【請求項２】
表面が山形状に突出して形成された取付座板と、フレキシブル基板に取付けられる複数の発光ダイオードからなり、前記フレキシブル基板を前記取付座板に沿うように取着することにより前記各発光ダイオードの光軸が所定角度をなして外向き傾斜状に取付けられるようにしたことを特徴とする遊技機における電飾用発光ダイオードの取付構造。
【請求項３】
前記取付座板は錐体であることを特徴とする請求項１又は２記載の遊技機における電飾用発光ダイオードの取付構造。
【請求項４】
前記取付座板の発光ダイオードの取着面は曲面であることを特徴とする請求項１乃至３のいずれかに記載の遊技機における電飾用発光ダイオードの取付構造。
【請求項５】
フレキシブル基板に複数の発光ダイオードが取付けられ、前記フレキシブル基板を山形状に突出するように取着することにより前記各発光ダイオードの光軸が所定角度をなして外向き傾斜状に取付けられるようにしたことを特徴とする遊技機における電飾用発光ダイオードの取付構造。
【請求項６】
前記隣接して設けられる発光ダイオードの光軸のなす角を前記発光ダイオードの指向角度以下としたことを特徴とする請求項１乃至５のいずれかに記載の遊技機における電飾用発光ダイオードの取付構造。
【発明の詳細な説明】
【０００１】
【発明の属する技術分野】
本発明は、発光ダイオードの取付構造に関するものであり、特に遊技機等の電飾用発光ダイオードの取付構造に関するものである。
【０００２】
【従来の技術】
例えばパチンコ機等の遊技機には、近年特に装飾効果を高めるために多くの電飾装置が設けられている。前記電飾装置は、光源として耐久性が高い発光ダイオードが多く使用され、複数個の発光ダイオードを直接基板に適宜間隔に配置して、その前面に透光性を有するプラスチック製の装飾部材で覆ったものが知られている。そして、全体を美しく光らせるために、前記プラスチック製の装飾部材の内面にダイヤカット，ローレット等の加工を施している（例えば、特許文献１参照。）。
【０００３】
【特許文献１】
特開平７−２１３７２２号公報（第１３頁、第２４図）
【０００４】
【発明が解決しようとする課題】
しかしながら、発光ダイオードの特性として垂直方向の配光特性があるため指向角度（照射範囲）が狭く、プラスチック製の装飾部材にダイヤカット，ローレット等の加工を施しても発光ダイオードを設けたその一部しか照射せず、その部分が斑に見えて非常に見苦しいという問題点があった。そのため、複数個の発光ダイオードを近接した状態で設けて所定範囲を照射させるようにすればよいようにも思えるが、単に同じ方向に向けて取着すると光にムラと干渉があり綺麗に見えず、しかも発光ダイオードが近接した状態で取着されるため取付け難く手間がかかることになる。
【０００５】
そこで本発明は、上記した事情に鑑みてなされたもので、その目的とするところは、電飾装置の装飾部材等を効率よく照射して見栄えをよくすると共に、発光ダイオードの取着を容易にすることができる発光ダイオードの取付構造を提供することにある。
【０００６】
【課題を解決するための手段】
上記目的を達成するために、請求項１記載の発明は、表面が山形状に突出して形成された取付座板と、該取付座板の表面に取付けられる複数の発光ダイオードからなり、前記取付座板に前記発光ダイオードのリード端子を貫挿する通孔を形成し、該通孔に前記リード端子を貫挿することにより、前記各発光ダイオードの光軸が所定角度をなして外方に傾斜状に取付けられるようにしたことを特徴とする。
【０００７】
請求項２記載の発明は、表面が山形状に突出して形成された取付座板と、フレキシブル基板に取付けられる複数の発光ダイオードからなり、前記フレキシブル基板を前記取付座板に沿うように取着することにより前記各発光ダイオードの光軸が所定角度をなして外向き傾斜状に取付けられるようにしたことを特徴とする。
【０００８】
請求項３記載の発明は、請求項１又は２記載の発明において、前記取付座板は錐体であることを特徴とする。前記錐体は円錐形又は角錐形である。また、円錐台形又は角錐台形としてもよい。
【０００９】
請求項４記載の発明は、請求項１乃至３のいずれかに記載の発明において、前記取付座板の発光ダイオードの取着面は曲面であることを特徴とする。このように取着面を曲面とすることで、光軸をより多方向に設定することができる。
【００１０】
請求項５記載の発明は、フレキシブル基板に複数の発光ダイオードが取付けられ、前記フレキシブル基板を山形状に突出するように取着することにより前記各発光ダイオードの光軸が所定角度をなして外向き傾斜状に取付けられるようにしたことを特徴とする。フレキシブル基板の可撓性により該フレキシブル基板が揺れて、それに伴い発光ダイオードが幻想的に揺らぎ従来にない装飾効果を奏でることができる。
【００１１】
請求項６記載の発明は、請求項１乃至５のいずれかに記載の発明において、前記隣接して設けられる発光ダイオードの光軸のなす角を前記発光ダイオードの指向角度以下としたことを特徴とする。ここでいう「指向角度」とは、発光ダイオードの特性である指向性の強さからくる照射角度を意味する。
【００１２】
また、前記取付座板は蒲鉾型又は碗型であってもよく、隣接する発光ダイオードの光軸が所定角度をなすように取付けられる。
【００１３】
前記取付座板に予め複数の発光ダイオードを組付けユニット化しておくのが好ましく、基板への取付作業をより効率化することができる。
【００１４】
前記基板と取付座板の発光ダイオードの取着面のなす傾斜角度は、該取着面に取着される発光ダイオードの指向角度の１／２以下とするのが好ましい。
【００１５】
さらに、指向角度が異なる発光ダイオードを使用してもよく、この場合取着面をそれぞれの発光ダイオードの光軸を同一平面に投影してなす角が前記発光ダイオードの指向角度の総和の１／２以下となるようにすればよい。
【００１６】
また、前記発光ダイオードは異なる発光色を有する複数の発光ダイオードチップを使用した多色発光源とするのが好ましく、該発光ダイオードを例えばパチンコ機の電飾装置に設けて遊技内容に伴って変色させるようにするのがよい。
【００１７】
さらに、前記発光ダイオードの前面を被覆し透光性を有する装飾部材を備えた電飾装置として、前記装飾部材の内側にカッティングを施したり、シボ処理を施したりして光を乱反射させるのが好ましい。
【００１８】
上記構成にすることにより、発光ダイオードの取着作業が効率化され、電飾効果の優れたものとすることができる。
【００１９】
【発明の実施の形態】
次に、本発明の実施の形態について図面を参照して説明する。図１は遊技機としてのパチンコ機の正面図である。パチンコ機は、機枠１の前面に前面枠２が開閉自在に設けられ、該前面枠２の後方に遊技盤４が装着され、前面枠２の前面の一側にはガラス扉枠５と前面板６とが開閉自在に装着されている。そして、前面板６の前面に打球供給用の上部球受皿７が取付けられ、前面枠２の下部には上部球受皿７から溢出するパチンコ球を貯留する下部球受皿８及びパチンコ球の打球力を調節する操作ハンドル９が設けられている。
【００２０】
前記遊技盤４の前面にはガイドレール１０が敷設されている。該ガイドレール１０に囲まれる遊技領域４ａの略中央に可変表示装置１１が固着され、該可変表示装置１１の直下に始動入賞口１２が設けられ、その下方に入賞装置１３が装着され、ガイドレール１０で規制された上部遊技領域４ａの外方には電飾装置としての電飾部材１４がガイドレール１０を囲うように配設されている。
【００２１】
前記可変表示装置１１は、遊技盤の表面に取付ける取付基板のほぼ中央に、種々の数字，文字，図柄等の表示記号を変動可能に表示する液晶ディスプレイ型の可変表示部１５が配設されている。
【００２２】
前記入賞装置１３は周知のもので、取付基板の前面に開設した横長の開口１６に開閉扉１７が枢着され、該開閉扉１７を図示しない電気的駆動源によって前側に傾動して開口１６を開成した遊技者にとって有利となる第１の状態と、起立して開口１６を閉成した遊技者にとって不利となる第２の状態とに自在に変換できるようになっている。
【００２３】
前記電飾部材１４は、図２及び図３に示すようにガイドレール１０の上部に沿う形状の台板１８と、該台板１８の前面に透光性を有する装飾部材としてのカバー部材１９との間に、基板２０を挟み込んで一体にユニット化されており、前記基板２０に発光源としての発光ダイオード（以下省略してＬＥＤという）２１を複数個単位（実施の形態において５個）で取付部材としての取付座板２２を介して設けている。
【００２４】
前記ＬＥＤ２１は、赤・青・緑等の発光色を有する発光素子である高輝度ＬＥＤチップを、レンズ体として砲弾型形状のアクリル樹脂のレンズによって被覆した公知的ものであり、実施の形態において該ＬＥＤ２１の指向角度Ｄは約３０°である。なお、ここでいう「指向角度」とは、発光ダイオードの特性である指向性の強さからくる照射角度を示しており、製品により指向角度Ｄが設定されている。前記ＬＥＤ２１は単色に限らず異なる三色のＬＥＤチップを備えて、該ＬＥＤチップの発光の組合せを変化させることで７色の色変化が可能な多色発光ＬＥＤとしてもよい。また、ＬＥＤ２１の形状は砲弾型に限られることなく楕円型・角型等のものであってもよく、さらに前記レンズにカットまたはシボ処理を施して光を拡散するようにしてもよい。
【００２５】
前記取付座板２２は、表面が山形状に突出して形成され、実施の形態において図４に示すようにＬＥＤ２１の取着面２６を５面有する約１５ｍｍ四方のほぼ四角錐台形であり、各取着面２６にＬＥＤ２１のリード端子２８を貫挿する通孔２７を形成している。そして、前記中央の取着面２６ａを除く傾斜状の取着面２６ｂの傾斜角は取着面２６ａに対して約１５°（指向角度Ｄのほぼ１／２）の俯角としている。また、前記通孔２７は、図４（ｅ）に示すように該通孔２７の始端部を取着面２６に対して直交し、かつ終端部においても取付座板２２の下面に対して直交するように貫設しており、ＬＥＤ２１のリード端子２８が取付座板２２の下面に突出する際に、すべてのリード端子２８が平行状となるように導かれ、基板２０に取着する際に手際よく取着できるようにしている。なお、取付座板２２は、単体で成形するようにしてもよいが、連続したベルト状に成形して１個ずつ切り離すようにすることも可能である。
【００２６】
前記ＬＥＤ２１は、取付座板２２の通孔２７に前記リード端子２８を貫挿して、各ＬＥＤ２１の下面が取着面２６に接触戴置することにより、隣接したＬＥＤ２１のそれぞれの光軸を同一平面に投影してなす角が前記ＬＥＤ２１の指向角度Ｄ以下となるように配設され、それぞれの光軸方向が異なるように外方に傾斜状に取付けられる。
【００２７】
また、カバー部材１９は、透明樹脂（例えばＡＢＳ樹脂，ＰＣ樹脂）にシボ処理が施され、基板２０等の内部が見難い半透明となっている。上記のように一体にユニット化された電飾部材１４は、裏面に突設された断面十字状の嵌合突起２３を、前記遊技盤４に穿設された貫通孔２４に嵌合させることによりビス止めすることなく遊技盤４に簡単に装着される。
【００２８】
このように、指向性が強く，指向角度が狭い特性のＬＥＤ２１を、光軸方向が異なるように取着面２６のそれぞれにＬＥＤ２１を近接状に取着して集合させることで、限られた狭い取付範囲内で斑状とならず広範囲をムラなく均等に照射することができ、電飾効果を向上させることができる。というのも、ＬＥＤ２１を傾斜状の取着面２６ｂに取着することで、ＬＥＤ２１の指向角度Ｄを形成する内側仮想線が遊技者の視認方向（取付座板２２の中心軸方向）と一致することになり、照射された広範囲を個々の点としてではなく、光が適度に干渉して綺麗な集合光となり領域として視認することができる。このことから、図３に示すように隣接するＬＥＤ２１のそれぞれの指向角度Ｄを形成する内側仮想線が互いに平行または外方で交差し得るようにＬＥＤ２１を配設するのがよく、好ましくは前記取付座板２２に取着されたＬＥＤ２１の指向角度Ｄ内に、取付座板２２の中心軸方向が含まれるように配設するのがよい。また、図３に示すように装飾部材としてのカバー部材１９が基板２０に対して平行に設けられた場合に、ＬＥＤ２１を傾斜状の取着面２６ｂに取着することで、カバー部材１９に照射するまでの距離が取付座板２２の外方に向うに従って長くなるので、それに伴い視認し得る明るさが微妙に変化し、外方に向うに従って徐々に光が拡散してぼかした感じとなって、より広範囲を照射する印象を与えることができる。さらに、取付座板２２を介してＬＥＤ２１を取着することで、該取付座板２２に予めＬＥＤ２１を仮着することができ、基板２０に対するＬＥＤ２１の取着作業が非常に簡単なものとなる。
【００２９】
前記取付座板２２に仮着したＬＥＤ２１の基板２０への取付けは、取付座板２２下面に突出したリード端子２８を半田付けすることにより基板２０に取付けられる。なお、取付座板２２に組付けたＬＥＤ２１を同時に点灯させる場合には、図５に示すように予め基板２０接続用のリード端子２８ａを２本残して、取付座板２２の下面でそれぞれ隣接するリード端子２８を直列的に半田付け等により固定して、１個の部品として保管するようにしてもよい。このとき、取付座板２２は下面凹窪状に形成して、互いに半田付けしたリード端子２８が前記凹窪内に収まるようにして、取付座板２２の下面から半田付けしたリード端子２８が突出しないようにするのが好ましく、基板２０に安定した状態で取着することができる。このように、予め取付座板２２にＬＥＤ２１を組み付けておくことで、基板２０への取付けがより簡単なものとなる。さらに、基板２０に配置する際に密集するリード端子２８の接近による、半田付け等の作業性の効率化を図り、基板２０上の配線パターンを簡素化し配線の接触を防止することができる。なお、取付座板２２の取着面２６に鏡面加工を施して、照射効果を高めるようにしてもよい。
【００３０】
取付座板２２は、前記実施の形態に示した多面体形状に限定されることなく、図６に示すように円錐台形状としてもよい。なお、図上通孔２７をＬＥＤ２１の５個分としたが、取付けるＬＥＤ２１の個数は限定されるものではなく、傾斜状の取着面２６ｂに通孔２７を所定間隔に設けることで、ＬＥＤ２１を任意の個数に設定することができる。例えば取着面２６ｂに設けられたいずれか２個の通孔を選択するとＬＥＤ２１のリード端子２８の間隔となるように通孔２７の間隔を設定すればよい。このように円錐台形状とすることで、取着位置により発光素子の光軸がより多方向に設定することができる。さらに、取付座板２２は、例えば蒲鉾型・碗型状であっても錐体（円錐体，角錐体）であってもよい。また、前記取付座板２２の取着面２６の傾斜角度は、各ＬＥＤ２１の指向角度Ｄによって変更し得る。その際、傾斜角度は、隣接するＬＥＤ２１のそれぞれの指向角度Ｄをなす内側仮想線が平行となる指向角度Ｄ以内とするのが好ましく、例えば指向角度Ｄが６０°のＬＥＤ２１の場合には、傾斜角度を６０°以内とするのがよい。但し一方のＬＥＤ２１の光軸方向を遊技者の視認方向とした場合には、指向角度Ｄの１／２以内とするのがよい。というのも、例えば指向角度Ｄが６０°のＬＥＤ２１の場合、傾斜角度を３０°より大きくすると取付座板２２に取着されたもう一方のＬＥＤ２１の視認性が悪くなり、取付座板２２に取着された複数のＬＥＤ２１が一塊の光源として照射するのではなく、それぞれのＬＥＤが点光源として目立つようになるからである。
【００３１】
また、指向角度Ｄが異なるＬＥＤを使用してもよく、この場合取着面２６をそれぞれのＬＥＤ２１の光軸を同一平面に投影してなす角が、前記ＬＥＤ２１の指向角度Ｄの総和の１／２以下となるようにすればよい。例えば、指向角度Ｄが３０°と６０°のＬＥＤ２１を使用した場合には、それぞれのＬＥＤ２１の光軸を同一平面に投影してなす角が４５°（（３０°＋６０°）／２）となる取着面２６とすればよい。
【００３２】
図７乃至図１０は電飾用発光ダイオードの取付構造の他の実施の形態を示す。この実施の形態の発光ダイオードは、所謂チップ型発光ダイオードであり（以下チップＬＥＤという）、可撓自在なフレキシブル基板８０に取付けられる。なお、前記実施の形態と同じ構成要素には同一符号を付して説明する。図７に示すように、フレキシブル基板８０は四方に放射状に形成され、チップＬＥＤ２１ａを所定箇所（図上５個）に設けて、放射状に形成されたフレキシブル基板８０のそれぞれに電極端子部８１が設けられている。そして、図７（ｂ）に示すようにフレキシブル基板８０の可撓性を利用して、山形状に突出するように前記電極端子部８１を半田付け等することにより基板２０に取付けられる。このとき、前記各チップＬＥＤ２１ａの光軸が所定角度をなして外向き傾斜状となるように取付けられる。なお、図上フレキシブル基板８０を角錐台状に折曲して取付けたが、折曲することなく湾曲状に取付けるようにしてもよく、チップＬＥＤ２１ａの個数も限定されるものではない。このように、フレキシブル基板８０の可撓性を利用して取付けるようにすることで、確固たる支持部材がないため振動によりフレキシブル基板８０が微妙に揺れて、それに伴いチップＬＥＤ２１ａの光が幻想的な装飾効果を奏する。
【００３３】
図８及び図９はチップＬＥＤ２１ａを配設したフレキシブル基板８０を取付座板２２に沿うように取着した実施の形態を示しており、さらにフレキシブル基板８０を覆うように透光性樹脂によるカバー体８２を設けている。この実施の形態において、前記実施の形態のフレキシブル基板と異なる点は、図８に示すように四方に放射状に形成された基板部のそれぞれに位置決め用透孔８３を開設し、その放射状に形成された基板部の一つに電極端子部８１を備えた配線用基板部８４を延設している。また、取付座板２２は、板状部にフレキシブル基板８０の取着面２６となる十文字状の山形隆起が形成され、前記位置決め用透孔８３に合致する突起８５が形成される。このとき、取着面２６となる十文字状の山形隆起は、チップＬＥＤ２１ａの光軸が所定角度をなして外向き傾斜状に取付けられるように設定されている。そして、前記カバー体８２を取着する係合孔８６及び基板２０に取着する係止片８７が設けられている。一方、前記カバー体８２は前記十文字状の山形隆起が嵌る凹窪状形成され、前記突起８５に合致する凹部８８及び前記係合孔８６に係止する係止爪８９が形成されている。
【００３４】
次に、組付けについて図９を参考に説明する。先ず前記チップＬＥＤ２１ａが配設されたフレキシブル基板８０を前記十文字状の山形隆起の取着面２６に沿うように戴置し、前記位置決め用透孔８３を突起８５に嵌めて位置決めした状態で、前記カバー体８２を被せ係止爪８９を係合孔８６に係合させる。このように、複数のチップＬＥＤ２１ａの光軸が所定角度をなして外向き傾斜状に取付けられた状態で簡単にユニット化することができる。そして、ユニット化されたチップＬＥＤ２１ａを基板２０に取付けるには、図９に示すように取付座板２２の係止片８７を基板２０に開設した取着孔９０に係合させて固着し、前記配線基板部８４の電極端子部８１を半田付けすることにより取付けることができる。
【００３５】
図１０は取付座板の他の実施の形態を示し、この実施の形態の取付座板は所定幅を有する山形形状としており、下面に鍔部を有したフレキシブル基板８０の取着ピン９１を設けている。フレキシブル基板８０は帯状をなし、電極端子部８１をチップＬＥＤ２１ａ側に設けて側端に位置決め用透孔８３を開設している。そして、取付座板２２を巻装するようにして前記位置決め用透孔８３を取着ピン９１に係止することでフレキシブル基板８０を装着することができる。このように取付座板２２に取着されたチップＬＥＤ２１ａの基板２０への取付は、取付座板２２の下面に位置する電極端子部８１を半田付け等することにより簡単に取付けることができる。
【００３６】
電飾装置は前記した遊技盤４面に設けられるものに限定されるものではなく、遊技機の前面側から視認し得る電飾装置に適用し得る。以下にその適用例を説明する。なお、図上取付座板２２にＬＥＤ２１を設けた物とするが、図７乃至図１０に示したチップＬＥＤ２１ａを設けた物であってもよいのはいうまでもない。
【００３７】
図１１及び図１２に電飾装置を機枠１特に腰板１ａに設けた実施の形態を示す。前記機枠１は矩形に枠組みされた機枠本体の下部前面に所定高さを有する補強用の腰板１ａが横設されており、該腰板１ａは装飾部材として透光性を有する透明樹脂により形成されている。該腰板１ａは、後面が開放した薄箱状に形成されると共に、左右両側に弾性係止片３０が形成され、後側に位置して前記した取付座板２２を介してＬＥＤ２１が複数配設された基板２０を機枠１の切り溝１ｂに嵌めて、前記弾性係止片３０を機枠１に形成した係止部３１に係止して、基板２０を押圧固着すると共に腰板１ａが取着される。また、腰板１ａの内面にＬＥＤ２１の前面に位置してリブ３２が形成され、光を屈折変化させるようにしている。なお、該腰板１ａと木枠１本体または底板部を、発泡成形またはガスインジェクション成形等により合成樹脂により一体に成形するようにしてもよく、このとき前記切り溝１ｂにかえてリブを立設するようにしてもよい。
【００３８】
また、図１３は腰板１ａの他の実施の形態を示し、腰板１ａの前面を透光性を有する透明樹脂により形成された装飾部材としての被覆部材３３により被覆され、該被覆部材３３の内側に、取付座板２２を介してＬＥＤ２１が複数配設された基板２０を設けるようにしてもよい。また被覆部材３３は、後面が開放した薄箱状に形成されると共に、左右両側にＬ字型の係止片３０ａが形成され、腰板１ａに形成した係止溝３１ａに挿入して取着される。なお、前記装飾部材としての腰板１ａ及び被覆部材３３を交換するだけで、機枠本体をそのまま使用して機種変更に対応することができる。
【００３９】
前記前面枠２は、図１４に示すように本体枠３５の前面にガラス扉枠５及び上下球受皿７，８が装着され、それ以外の前面を透光性を有する装飾部材としてのレンズ部材３６で被覆している。前記本体枠３５は、図１４に示すようにほぼ中央に前記遊技盤４が臨む開口４３が形成された額縁状に形成され、その開口４３後方に遊技盤４を取付ける取付枠部３４が形成されている。そして、本体枠３５の開放側枠辺部のほぼ中央位置に、前面枠２及びガラス扉枠５の施錠を解除するシリンダー錠３７が設けられ、本体枠３５の下方には、前記下部球受皿８の導出口３８及び前記操作ハンドル９の取付孔３９が形成されている。また、右側下方には打球供給装置４０，発射レール４１，発射装置４２等の発射関連装置が集約して設けられている。
【００４０】
前記レンズ部材３６は、本体枠３５の上辺部を覆う上部レンズ部材３６ａと左右レンズ部材３６ｂ，３６ｃの複数に分割形成され、本実施例では無着色の透明樹脂（例えばＡＢＳ樹脂，ＰＣ樹脂）によりそれぞれ後面開放した半円柱の蒲鉾型に形成されている。また、上部レンズ部材３６ａは、内面にカッティングを施しており、該上部レンズ部材３６ａ及び左右レンズ部材３６ｂ，３６ｃには、取付座板２２を介してＬＥＤ２１を臨ませるようにしている。なお、前面枠２全体を透光性を有する樹脂により成形して装飾部材とし、後面に前記ＬＥＤ２１を配設するようにしてもよい。
【００４１】
次に、ガラス扉枠５について説明する。前記ガラス扉枠５は、図１５及び図１６に示すように透明板としてのガラス板４６を介して遊技盤４の遊技領域４ａを視認できるように額縁状に形成されており、前面枠２に装着する枠体４７と、該枠体４７の前面に取付けられる透光性を有する装飾部材としての装飾カバー体４８とにより大略構成される。
【００４２】
前記枠体４７は、合成樹脂によりほぼ平板状に形成され、上下及び左右に連続する周枠部４７ａ〜４７ｄにより遊技盤４の遊技領域４ａを囲むように形成している。そして、周枠部４７ａ〜４７ｄの裏面側には上周枠部４７ａを除いて、前記ガラス板４６が嵌るガラス挿入溝４９ａ，４９ａが設けられたコ字形の保持枠材４９が取付けられている。
【００４３】
そして、左周枠部４７ｄ上端にはガラス扉枠５を前面枠２に着脱自在に取付けるための軸支機構５０が設けられ、下端には支軸５１を有する受片５２が突設されている。前記軸支機構５０は、Ｌ字形に屈曲する係止杆５３を上下摺動可能に挿通したものであって、係止杆５３は図示しないスプリングにより常に上向きに付勢されており、ガラス扉枠５を前面枠２に着脱自在に装着するようにしている。
【００４４】
また、上周枠部４７ａ及び左右周枠部４７ｂ，４７ｄには、図１５に示すようにＬＥＤ２１が臨む透孔５４が複数形成されている。そして、枠体４７の後面から前記取付座板２２を介してＬＥＤ２１を複数備えた基板２０を、ＬＥＤ２１が透孔５４に臨むようにビス等により固着するようにしている。５５は光が拡散するように表面が鏡面加工されたシールである。
【００４５】
一方、前記装飾部材としての装飾カバー体４８は、無着色の透明樹脂により後面が開口した中空箱状に形成され、かつその大きさが前記枠体４７の全面を覆う寸法が選ばれる。そして、前記軸支機構５０及び下部支軸５１を含めて枠体４７の前面を完全に被覆した状態で、ビス等の適宜手段により取付けられる。また、前記取付座板２２を介してＬＥＤ２１に対応する装飾カバー体４８の内面に、レンズカットを施こすようにしてもよい。なお、ガラス扉枠５は前記前面枠２とほぼ等しい幅を有するようにしてもよく、さらに装飾カバー体４８の内側形状を前記ガイドレール１０を囲うように円弧状として、前記電飾部材１４を不要としてもよい。
【００４６】
次に、上部球受皿７について説明する。上部球受皿７は、図１７に示すようにパチンコ球の貯留及び整流機能を有する皿部材５８と、該皿部材５８を外側から覆う透光性を有する装飾部材としてのカバー体５９とから構成される。
【００４７】
前記カバー体５９は、図１７に示すように皿部材５８を前方から覆うように曲面形状をしており、前面板６の前面を覆う飾り板部６３が一体に形成されている。そして、曲面形状に沿うように取付座板２２を介してＬＥＤ２１を備えた基板２０が配設されている。また、カバー体５９に球貸出操作部６４が配設されている。
【００４８】
また、下部球受皿８は上記した上部球受皿７と構成がほぼ同じであるため詳細な説明は省略するが、図１に示すように透光性を有する装飾部材としてのカバー体５９の内側に取付座板２２を介してＬＥＤ２１が配設されている。
【００４９】
次に操作ハンドル９について説明する。前記操作ハンドル９は、図１８に示すように前面枠２の前面に固定される支持部７３と、該支持部７３に回動自在に設けられるタッチスイッチを兼ねる操作レバー７４と、透光性を有する装飾部材としての握り部７５とを備える。握り部７５は、無着色の透明樹脂によりお碗形に形成され、内部に位置してボリュームスイッチ７６が組み込まれ、操作レバー７４を回動することによって該ボリュームスイッチ７６がボリューム調整され、打球発射装置による打球の発射力が調節される。そして、握り部７５に取付座板２２を介してＬＥＤ２１が設けられている。
【００５０】
なお、上記した電飾装置は、装飾部材と光源であるＬＥＤ２１を取着した基板２０を一体に組み付けるようにしたが、必ずしも一体にユニット化されていなくてもよく、ＬＥＤ２１を備えた基板２０と装飾部材とが別個に設けられ、遊技機としての使用時に装飾部材をＬＥＤ２１で照射するようにすればよい。例えば、ＬＥＤ２１を取着した基板２０を前面枠２または遊技盤４側に取着して、装飾部材をガラス扉枠５側に設けるようにしてもよい。
【００５１】
以上説明したように、装飾部材としてカバー部材１９，被覆部材３３，レンズ部材３６，装飾カバー体４８，カバー体５９，握り部７５を透光性を有する樹脂により成形することにより、改めてレンズ部材を設けることなく、内部に取付座板２２を介してＬＥＤ２１を設けることで、電飾装置としてパチンコ機全体を均等に光らせ見栄えのよいのもとすることができる。また、装飾部材を交換するだけで機種変更に伴うデザイン変更が可能となり、遊技者が遊技機の前面から視認し得るすべての装飾部材を交換すれば、全く異なる機種とすることができる。例えばデザイン変更として、装飾部材を蛍光色素等により薄く着色した樹脂により成型することで幻想的なデザインにしたりすることができる。さらに、装飾部材としてのカバー部材１９，被覆部材３３，レンズ部材３６，装飾カバー体４８，カバー体５９，握り部７５を透光性を有する樹脂に炭酸カルシウム等の光拡散材を混入して白濁に形成するようにして、基板２０等内部が透けて見えないようにしてもよい。また、機枠１，前面枠２，ガラス扉枠５，上部球受皿７，下部球受皿８，操作ハンドル９，電飾部材１４のそれぞれの装飾部材を着色したり、装飾部材とＬＥＤ２１との間に着色フィルムを介在させたりすることにより、ＬＥＤ２１の発色と調和させたりＬＥＤ２１では出せない異色を実現することができる。また、装飾部材とＬＥＤ２１との間に入射光の任意角方向への拡散制御を自在に形成されたシート状の透明樹脂フィルムを覆設して、より視認性を高めるようにしてもよい。また、機枠１，前面枠２，ガラス扉枠５，上部球受皿７，下部球受皿８，操作ハンドル９，電飾部材１４のそれぞれの部材ごとに発光色を変えるようにしても、前記可変表示装置１１の表示態様（遊技内容）によって発光色を変えるようにしてもよい。
【００５２】
なお、電飾装置として装飾部材を別途設けるようにしたが、例えば遊技盤４を所定厚さを有する遊技盤本体と、該遊技盤本体の前面に貼着され、図柄，文字等が描かれた所謂「セル板」といわれる薄板状の装飾板とで構成し、遊技盤本体に前記装飾板によって一側が閉塞されるように開口を開設し、前記開口に位置する装飾板を装飾部材として該開口に前記ＬＥＤ２１を臨ませて発光するようにしてもよい。
【００５３】
なお、本実施の形態において遊技機をパチンコ機として説明したが、アレパチ，雀球あるいはパチンコ球を賭数として回収して行う「パチロット」であってもよく、さらに遊技機はメダル，コインを使用するスロットマシンであってもよい。
【００５４】
【発明の効果】
以上、説明したところから明らかなように、本発明に係る発光ダイオードの取付構造は、表面が山形状に突出して形成された取付座板に発光ダイオードのリード端子を貫挿する通孔を形成し、該通孔に前記リード端子を貫挿することにより前記各発光ダイオードの光軸が所定角度をなして外方に傾斜状に取付けられるようにしたので、発光ダイオードの基板への取付けが容易となり、しかも発光ダイオードの取着面を該取着面に隣接して設けられる発光ダイオードのそれぞれの光軸のなす角が前記発光ダイオードの指向角度以下となるように形成したので、装飾部材に対して点照射とならずに所定範囲をムラなく照射することができ、見栄えのよい電飾装置とすることができる。
【図面の簡単な説明】
【図１】パチンコ機の正面図である。
【図２】装飾部材の分解斜視図である。
【図３】装飾部材部分の要部断面図である。
【図４】（ａ）は取付座板の斜視図，（ｂ）は側面図，（ｃ）は平面図，（ｄ）は底面図，（ｅ）はＡ−Ａ線断面図である。
【図５】他の実施の形態の取付座板の裏面斜視図である。
【図６】他の実施の形態の取付座板の斜視図である。
【図７】（ａ）は他の実施の形態の発光ダイオードの取付構造を示す平面図，（ｂ）はその取付状態を示す斜視図である。
【図８】他の実施の形態の取付座板の分解斜視図である。
【図９】図８の側断面図である。
【図１０】（ａ）は他の実施の形態の発光ダイオードの取付構造を示す分解斜視図，（ｂ）はその取付状態を示す断面図である。
【図１１】機枠の腰板部分の分解斜視図である。
【図１２】腰板部分の要部断面図である。
【図１３】腰板部分の他の実施の形態の分解斜視図である。
【図１４】前面枠の分解斜視図である。
【図１５】ガラス扉枠の分解斜視図である。
【図１６】ガラス扉枠の要部断面図である。
【図１７】球受皿の要部断面図である。
【図１８】操作ハンドルの分解斜視図である。
【符号の説明】
１                  機枠
１ａ                腰板（装飾部材）
２                  前面枠
４                  遊技盤
４ａ                遊技領域
５                  ガラス扉枠
７                  上部球受皿
８                  下部球受皿
９                  操作ハンドル
１４                電飾部材（電飾装置）
１９                カバー部材（装飾部材）
２０                基板
２１                ＬＥＤ（発光ダイオード）
２１ａ              チップＬＥＤ（発光ダイオード）
２２                取付座板
２６                取着面
２６ａ，２６ｂ      取着面
２７                通孔
２８                リード端子
３３                被覆部材（装飾部材）
３６                レンズ部材（装飾部材）
４８                装飾カバー体（装飾部材）
５９                カバー体（装飾部材）
７５                握り部（装飾部材）
８０                フレキシブル基板
Ｄ                  指向角度
【図１】
2004223094.tif 000003
【図２】
2004223094.tif 000004
【図３】
2004223094.tif 000005
【図４】
2004223094.tif 000006
【図５】
2004223094.tif 000007
【図６】
2004223094.tif 000008
【図７】
2004223094.tif 000009
【図８】
2004223094.tif 000010
【図９】
2004223094.tif 000011
【図１０】
2004223094.tif 000012
【図１１】
2004223094.tif 000013
【図１２】
2004223094.tif 000014
【図１３】
2004223094.tif 000015
【図１４】
2004223094.tif 000016
【図１５】
2004223094.tif 000017
【図１６】
2004223094.tif 000018
【図１７】
2004223094.tif 000019
【図１８】
2004223094.tif 000020